(57)【要約】【課題】符号化情報を伝送する電子装置を提供する。また、符号化情報を読み取る電子装置、情報伝送方法及び情報読み取り方法を提供する。【解決手段】該符号化情報を伝送する電子装置はディスプレイ素子とプロセッサー素子を含む。ディスプレイ素子は映像画面を表示し、映像画面が符号化情報を表示する情報伝送領域を含む。プロセッサー素子はディスプレイ素子に電気的に接続される。プロセッサー素子は第１情報及び第２情報に対し符号化操作を行って、符号化情報を生成する。【選択図】図９
2017120614.tif 000002
【特許請求の範囲】
【請求項１】
符号化情報を伝送する電子装置であって、
情報伝送領域を含む映像画面を表示するディスプレイ素子と、
前記ディスプレイ素子に電気的に接続され、第１情報及び第２情報に対し符号化操作を行って、前記符号化情報を生成するプロセッサー素子とを含み、
前記情報伝送領域に前記符号化情報が表示され、
前記情報伝送領域は第１領域及び第２領域を含み、前記第１領域及び前記第２領域はそれぞれ前記第１情報及び前記第２情報に対応する、電子装置。
【請求項２】
前記第１領域の面積は前記第２領域の面積より大きい、請求項１に記載の電子装置。
【請求項３】
前記第１領域と前記第２領域の少なくとも一部が重なり合う、請求項１に記載の電子装置。
【請求項４】
前記第１領域は情報領域及び非情報領域を含み、かつ前記第２領域が前記非情報領域に位置する、請求項１に記載の電子装置。
【請求項５】
前記情報領域は前記非情報領域を囲んでいる、請求項４に記載の電子装置。
【請求項６】
符号化情報を読み取る電子装置であって、
情報伝送領域を含む映像画面を取り込むセンサー素子と、
前記センサー素子に電気的に接続され、前記符号化情報に対し復号化操作を行って、第１情報及び第２情報を取得するプロセッサー素子とを含み、
前記符号化情報が前記情報伝送領域に表示され、
前記プロセッサー素子は前記第１情報及び前記第２情報に対しデータ処理操作を行って、前記符号化情報に対応する復号化情報を取得し、
前記情報伝送領域は第１領域及び第２領域を含み、前記第１領域及び前記第２領域はそれぞれ前記第１情報及び前記第２情報に対応する、電子装置。
【請求項７】
前記第１領域の面積が前記第２領域の面積より大きい、請求項６に記載の電子装置。
【請求項８】
前記第１領域と前記第２領域の少なくとも一部が重なり合う、請求項６に記載の電子装置。
【請求項９】
前記第１領域は情報領域及び非情報領域を含み、かつ前記第２領域が前記非情報領域に位置する、請求項６に記載の電子装置。
【請求項１０】
前記情報領域は前記非情報領域を囲む、請求項９に記載の電子装置。
【請求項１１】
電子装置を利用して符号化情報を伝送する情報伝送方法であって、
第１情報及び第２情報に対し符号化操作を行って、前記符号化情報を生成するステップと、
情報伝送領域を含む映像画面を表示して、前記符号化情報を伝送するステップとを含み、
前記情報伝送領域に前記符号化情報が表示され、
前記情報伝送領域は第１領域及び第２領域を含み、前記第１領域及び前記第２領域はそれぞれ前記第１情報及び前記第２情報に対応する、情報伝送方法。
【請求項１２】
前記第１情報及び前記第２情報に対し前記符号化操作を行って、前記符号化情報を生成するステップにおいて、前記第１情報及び前記第２情報に対し前記符号化操作を行うことで、前記第１領域の面積が前記第２領域の面積より大きくなるようにする、請求項１１に記載の情報伝送方法。
【請求項１３】
前記第１情報及び前記第２情報に対し前記符号化操作を行って、前記符号化情報を生成するステップにおいて、前記第１情報及び前記第２情報に対し前記符号化操作を行うことで、前記第１領域と前記第２領域の少なくとも一部が重なり合うようにする、請求項１１に記載の情報伝送方法。
【請求項１４】
前記第１領域は情報領域及び非情報領域を含み、かつ前記第１情報及び前記第２情報に対し前記符号化操作を行って、前記符号化情報を生成するステップにおいて、前記第１情報及び前記第２情報に対し前記符号化操作を行うことで、前記第２領域が前記非情報領域に位置するようにする、請求項１１に記載の情報伝送方法。
【請求項１５】
前記情報領域は前記非情報領域を囲む、請求項１４に記載の情報伝送方法。
【請求項１６】
電子装置を利用して符号化情報を読み取る情報読み取り方法であって、
情報伝送領域を含む映像画面を取り込むステップと、
前記符号化情報に対し復号化操作を行って、第１情報及び第２情報を取得するステップと、
前記第１情報及び前記第２情報に対しデータ処理操作を行って、前記符号化情報に対応する復号化情報を取得するステップとを含み、
前記情報伝送領域に前記符号化情報が表示され、
前記情報伝送領域は第１領域及び第２領域を含み、前記第１領域及び前記第２領域はそれぞれ前記第１情報及び前記第２情報に対応する、情報読み取り方法。
【請求項１７】
前記第１領域の面積が前記第２領域の面積より大きい、請求項１６に記載の情報読み取り方法。
【請求項１８】
前記第１領域と前記第２領域の少なくとも一部が重なり合う、請求項１６に記載の情報読み取り方法。
【請求項１９】
前記第１領域は情報領域及び非情報領域を含み、前記第２領域が前記非情報領域に位置する、請求項１６に記載の情報読み取り方法。
【請求項２０】
前記情報領域が前記非情報領域を囲む、請求項１９に記載の情報読み取り方法。
【発明の詳細な説明】
【技術分野】
【０００１】
本発明は電子装置、情報伝送方法と情報読み取り方法に関し、特に符号化情報を伝送又は読み取る電子装置、情報伝送方法と情報読み取り方法に関する。
【背景技術】
【０００２】
キューアールコード（Ｑｕｉｃｋ  Ｒｅｓｐｏｎｓｅ  Ｃｏｄｅ、ＱＲ  ＣｏｄｅＴＭ）などの二次元バーコードを情報伝送媒体とした技術は既に長く用いられている。特にポータブル式、携帯式又は各種の電子装置が急速に発展し流通している時代を背景に、誰でも随時随所二次元バーコードを読み取ることができるようになり、製品追跡、ファイル管理、個人情報交換、さらに販売広告にまで二次元バーコードが見られるようになった。
【０００３】
従来の一次元バーコードに比べて、二次元バーコードは情報を二次元画像の中に符号化して、通常は正方形の白黒二色の図形で表し、比較的に高い次元でより多くのデータを記憶することができる。現在の技術では、二次元バーコードの符号化において数字、英数字、バイナリデータ及び漢字の四種類の標準化符号化モードを利用してデータを記憶する。これらの符号化モードを携帯電話又はその他の電子装置のアプリケーションプログラムだけで素早く復号化し、これらの符号化モードに含まれる情報を得ることができる。このように、現在の二次元バーコードの技術発展に伴い、二次元バーコードにアプリケーションプログラムを応用して復号化するだけで、大量の情報検索のプロセスを省略することが可能となり、かつ汎用性と便利性を考慮して、二次元バーコードに暗号化設計を施していない。つまり、二次元バーコード関連の復号化ソフトウエアを備えた電子装置であれば、二次元バーコードを含む正方形画像に対し復号化を行い、その情報を得ることができる。これにより、ユーザは速くて簡単に情報を入手できるものの、情報の隠匿性又は機密性が不十分である。従って、如何にして二次元バーコードの正常の使用を損なわずに、伝送しようとする全部又は一部情報の隠匿性と機密性を強化するかは当業者の研究目標である。
【０００４】
「背景技術」は本発明の内容を理解するうえで助けになるものであり、「背景技術」で開示された内容には当業者に知られている周知技術の構成以外のものが含まれている可能性がある。「背景技術」で開示された内容は、これらの内容又は本発明の一つ若しくは複数の実施例が解決しようとする課題が、本発明の出願前に既に当業者に認識又は認知されていたことを意味するものではない。
【発明の概要】
【発明が解決しようとする課題】
【０００５】
本発明は、良好な隠匿性と機密性を持って情報を伝送し、かつ正確に読み取ることができる電子装置、情報伝送方法及び情報読み取り方法を提供する。
【課題を解決するための手段】
【０００６】
本発明のその他の目的と利点について、本発明が開示する技術的特徴から一層理解を深めることができる。
【０００７】
上記一つ若しくは一部若しくは全部の目的、又はその他の目的を達成するために、本発明の一実施例は符号化情報を伝送する電子装置を提供する。該電子装置はディスプレイ素子とプロセッサー素子を含む。ディスプレイ素子は映像画面を表示し、映像画面は符号化情報を表示する情報伝送領域を含む。プロセッサー素子は、ディスプレイ素子に電気的に接続される。プロセッサー素子は第１情報及び第２情報に対し符号化操作を行って、符号化情報を生成する。情報伝送領域は第１領域及び第２領域を含み、かつ第１領域及び第２領域がそれぞれ第１情報及び第２情報に対応する。
【０００８】
上記一つ若しくは一部若しくは全部の目的、又はその他の目的を達成するために、本発明の一実施例は符号化情報を読み取る電子装置を提供する。該電子装置はセンサー素子とプロセッサー素子を含む。センサー装置は映像画面を取り込み、映像画面には符号化情報を表示する情報伝送領域が含まれる。プロセッサー素子はセンサー素子に電気的に接続される。プロセッサー素子は符号化情報に対し復号化操作を行って、第１情報及び一第２情報を取得する。プロセッサー素子は第１情報及び第２情報に対しデータ処理操作を行って、符号化情報に対応する復号化情報を取得する。情報伝送領域は第１領域及び第２領域を含み、かつ第１領域及び第２領域がそれぞれ第１情報及び第２情報に対応する。
【０００９】
上記一つ若しくは一部若しくは全部の目的、又はその他の目的を達成するために、本発明の一実施例は情報伝送方法を提供する。該情報伝送方法は電子装置を利用して符号化情報を伝送し、かつ以下のステップを含む。第１情報及び第２情報に対し符号化操作を行って、符号化情報を生成する。映像画面を表示して、符号化情報を伝送する。映像画面は情報伝送領域を含み、かつ情報伝送領域は該符号化情報を表示する。上記情報伝送領域は第１領域と第２領域を含み、かつ第１領域及び第２領域がそれぞれ第１情報及び第２情報に対応する。
上記一つ若しくは一部若しくは全部の目的、又はその他の目的を達成するために、本発明の一実施例は情報読み取り方法を提供する。該情報読み取り方法は電子装置を利用して符号化情報を読み取り、かつ以下のステップを含む。映像画面を取り込むステップ、該映像画面には符号化情報を表示する情報伝送領域が含まれる。符号化情報に対し復号化操作を行って、第１情報及び第２情報を取得するステップ。上記第１情報及び上記第２情報に対しデータ処理操作を行って、符号化情報に対応する復号化情報を取得するステップ。情報伝送領域は第１領域及び第２領域を含み、第１領域及び記第２領域はそれぞれ第１情報及び第２情報に対応する。
【００１０】
以上により、本発明の実施例は少なくとも以下の一つの利点又は効果を有する。本発明の実施例の符号化端及び復号化端の電子装置は、その伝送又は読み取る情報が第１情報及び第２情報を含み、両者をデータ処理操作した後、符号化情報に対応する復号化情報が得られるため、情報を良好な隠匿性と機密性を持って伝送し、かつ正確に読み取ることができる。
【００１１】
本発明の上記の特徴と利点をより明確にすべく、以下は実施例について、図面を参照しながら詳しく説明する。
【図面の簡単な説明】
【００１２】
【図１】本発明の一実施例の電子装置が符号化情報を伝送及び読み取る概略図である。
【図２】本発明の一実施例の符号化情報を伝送する電子装置の概略ブロック図である。
【図３】本発明の一実施例において符号化情報を読み取る電子装置の概略ブロック図である。
【図４】本発明の一実施例において符号化情報を伝送及び読み取る電子装置の概略ブロック図である。
【図５】本発明の一実施例の情報伝送方法のフローチャートである。
【図６】本発明の一実施例の情報伝送領域の概略図である。
【図７】本発明の別の実施例の情報伝送領域の概略図である。
【図８】本発明の別の実施例の情報伝送領域の概略図である。
【図９】本発明の一実施例の情報読み取り方法のフローチャートである。
【図１０】本発明の一実施例のデータ処理操作の概略図である。
【図１１】本発明の別の実施例のデータ処理操作の概略図である。
【図１２】本発明の別の実施例の情報読み取り方法の概略図である。
【発明を実施するための形態】
【００１３】
本発明の上記及びその他の技術内容、特徴及び効果を明確にするために、以下は図面を参照しながら、本発明の好ましい実施例を詳しく説明する。以下の実施例において言及される方向用語、例えば、上、下、左、右、前及び後などは、図面で参照される方向に過ぎない。従って、これらの方向用語は説明が目的であり、本発明を限定するものではない。
【００１４】
図１は本発明の一実施例の電子装置が符号化情報を伝送及び読み取る概略図である。本実施例において、情報伝送装置としての電子装置Ｅ１は例えばスマートフォン、スマートフォン以外の携帯電話、ウエアラブル電子装置、タブレットパソコン、パーソナル・デジタル・アシスタント（Ｐｅｒｓｏｎａｌ  Ｄｉｇｉｔａｌ  Ａｓｓｉｓｔａｎｔ、ＰＤＡ）又はノート型パソコンなど独立動作が可能な携帯式電子装置であり、本発明はこれについて限定しない。本実施例において、データ読み取り装置としての電子装置Ｅ２は、例えばスマートホームプロセッサー、スマートロボット、中央処理システム、クラウドサービスコントロールセンター及び卓上型パソコンなどシステム制御機能を有する電子装置であり、本発明はこれについて限定しない。また、電子装置Ｅ２はスマートフォン、スマートフォン以外の携帯電話、ウエアラブル電子装置、タブレットパソコン、パーソナル・デジタル・アシスタント又はノート型パソコンなど独立動作が可能な携帯式電子装置であってもよい。
【００１５】
図１を参照。本実施例において、電子装置Ｅ１は伝送待ちの情報に対し符号化操作を行って、符号化情報を生成する。電子装置Ｅ１において、当業者に知られている符号化ソフトウエア（例えば：ＱＲ  Ｃｏｄｅ符号化ソフトウエア又はその他の二次元バーコードの符号化ソフトウエア）を利用して符号化操作を行い、かつ情報伝送領域ＩＴＡ中に符号化情報を表示する。そして、電子装置Ｅ１は情報伝送領域ＩＴＡを含む映像画面を、予め設定した方式で伝送する。例えば、電子装置Ｅ１は情報伝送領域ＩＴＡを含む映像画面を電子装置Ｅ１のディスプレイ素子上に直接表示し、又は通信ソフトウエアを利用して情報伝送領域ＩＴＡを含む映像画面を電子装置Ｅ２に伝送し、又は電子装置Ｅ１が映像画面をウェブページにアップロードして公開し、新聞雑誌などに印刷してもよい、本発明では電子装置Ｅ１が映像画面を伝送する方式について限定しない。電子装置Ｅ２は上記電子装置Ｅ１が伝送した映像画面を取り込んだ後、映像画面中の情報伝送領域ＩＴＡ内の符号化情報に対し復号化操作及びデータ処理操作を行って、符号化情報に対応する復号化情報を取得することができる。なお、データ処理操作の方式はそれぞれ異なるため、上記復号化情報が上記伝送待ち情報と同じ又は異なる可能性がある。
【００１６】
図２は本発明の一実施例において符号化情報を伝送する電子装置の概略ブロック図である。図３は本発明の一実施例において符号化情報を読み取る電子装置の概略ブロック図である。図４は本発明の一実施例において符号化情報を伝送及び読み取る電子装置の概略ブロック図である。
【００１７】
図２ないし図４を参照。本実施例において、電子装置Ｅ１は例えば電子装置２００の形で実施される。電子装置２００はディスプレイ素子２０１とプロセッサー素子２０３を含む。ディスプレイ素子２０１は例えば映像画面を表示する液晶表示パネル又は発光ダイオード表示パネルなどであるが、これらに限定されない。プロセッサー素子２０３は例えばマイクロコントローラ（ｍｉｃｒｏｃｏｎｔｒｏｌｌｅｒ）、組み込み式コントローラ（ｅｍｂｅｄｄｅｄ  ｃｏｎｔｒｏｌｌｅｒ）、中央処理装置（ｃｅｎｔｒａｌ  ｐｒｏｃｅｓｓｉｎｇ  ｕｎｉｔ、ＣＰＵ）又は類似する素子であり、ディスプレイ素子２０１に電気的に接続され、かつ情報に対し符号化操作を行って、符号化情報（例えば、二次元バーコード）を生成する。異なる目的によって、プロセッサー素子２０３は情報に対し分析又は分解操作を行うことも可能であり、具体的には以下詳しく説明する。本実施例において、電子装置Ｅ２は例えば電子装置３００の形で実施される。電子装置３００はセンサー素子３０１とプロセッサー素子３０３を含む。センサー素子３０１は映像画面を取り込み、センサー素子３０１は例えば電荷結合素子（ｃｈａｒｇｅ  ｃｏｕｐｌｅｄ  ｄｅｖｉｃｅ、ＣＣＤ）、相補型金属酸化膜半導体センサー（ｃｏｍｐｌｅｍｅｎｔａｒｙ  ｍｅｔａｌ−ｏｘｉｄｅ−ｓｅｍｉｃｏｎｄｕｃｔｏｒ  ｓｅｎｓｏｒ、  ＣＭＯＳ  ｓｅｎｓｏｒ）、又はその他の適切な光センサー素子である。プロセッサー素子３０３は例えばマイクロコントローラ、組み込み式コントローラ、中央処理装置又は類似する素子であって、センサー素子３０１に電気的に接続され、かつ符号化情報に対し復号化操作を行う。異なる目的によって、プロセッサー素子３０３は情報分析操作又はデータ処理操作を行うことも可能であり、具体的には同じく以下詳しく説明する。
【００１８】
なお、上記実施例において、電子装置Ｅ１及び電子装置Ｅ２はそれぞれ電子装置２００及び電子装置３００といった二つの異なる形で実施されているが、別の実施例において、電子装置Ｅ１及び電子装置Ｅ２が同じ電子装置４００の形で実施されてもよい。電子装置４００は同時にディスプレイ素子４０１、センサー素子４０３及びプロセッサー素子４０５を含む。電子装置４００のプロセッサー素子４０５は上記プロセッサー素子２０３及びプロセッサー素子３０３の機能を同時に備え、ディスプレイ素子４０１とセンサー素子４０３はそれぞれ上記のディスプレイ素子２０１及びセンサー素子３０１と同じであってもよいため、ここで省略する。
【００１９】
図５は本発明の一実施例の情報伝送方法のフローチャートである。図６は本発明の一実施例の情報伝送領域６００の概略図である。
【００２０】
電子装置Ｅ１は情報伝送方法を用いて伝送待ち情報に対し符号化操作を行い、符号化情報を生成し、かつ符号化情報を伝送する。図５と図６を参照。本実施例において、電子装置Ｅ１は電子装置２００の形で実施されている。ステップＳ５０１において、プロセッサー素子２０３は伝送しようとする第１情報及び第２情報に対し符号化操作を行って、符号化情報を生成する。なお、上記の第１情報及び第２情報は例えば伝送しようとする２つ独立した情報であるが、別の実施例において、プロセッサー素子２０３が伝送待ちの情報に対し情報分解操作（例えば、因数分解又は文字列分割など）を行って、第１情報及び第２情報を得てもよい。
【００２１】
具体的には、ステップＳ５０１において、図６が示すように、プロセッサー素子２０３は第１情報及び第２情報に対しそれぞれ符号化操作を行って、第１符号化情報及び第２符号化情報とする。第１符号化情報は第１領域Ｒ１中に表示され、第２符号化情報は第２領域Ｒ２中に表示され、第１領域Ｒ１の面積が第２領域Ｒ２の面積より大きく、かつ第１領域Ｒ１と第２領域Ｒ２は情報伝送領域６００を構成する。本実施例において、情報伝送領域６００の第１領域Ｒ１は情報領域及び情報領域に囲まれた非情報領域（破線で示す）を含み、非情報領域部分に表示される第１符号化情報と第１情報は無関係である。言い換えれば、情報領域部分に表示される第１符号化情報は、復号化されて第１情報を得るには十分である。しかし、本実施例の第２領域Ｒ２の全部が第１領域Ｒ１の非情報領域内に重なり合っているため、第１情報の伝送を影響しない。
【００２２】
図７は本発明の別の実施例の情報伝送領域の概略図である。図７を参照。本実施例において、情報伝送領域７００の第２領域Ｒ２の全部が第１領域Ｒ１の情報領域に重なり合っている。本実施例において、第１領域Ｒ１内の第１符号化情報は誤り訂正機能を有するため、第２領域Ｒ２の全部が第１領域Ｒ１の上に重なり合っても、第１領域Ｒ１の覆われている合計面積が第１領域Ｒ１内の第１符号化情報の誤り訂正レベルを越えない限り、第１符号化情報は破壊されることなく、依然として復号化操作により復号化されることが可能であり、即ち、第１情報の伝送は影響されない。例えば、第１領域Ｒ１中の第１符号化情報の誤り訂正レベルが３０％の場合、第１領域Ｒ１が最多で３０％の面積が破壊されても復号化操作によって復号化されることができる。
【００２３】
図８は本発明の別の実施例の情報伝送領域の概略図である。図８を参照。以上の実施例において、情報伝送領域６００及び情報伝送領域７００はいずれも矩形で示されている。本実施例において、情報伝送領域８００の第２領域Ｒ２の一部が第１領域Ｒ１の情報領域に重なり合っている。しかし、第１領域Ｒ１の覆われている合計面積が第１領域Ｒ１中の第１符号化情報の誤り訂正レベルを越えていないため、第１情報の伝送を影響することない。特に、本実施例において第１領域Ｒ１及び第２領域Ｒ２によって構成される情報伝送領域８００は矩形ではない。
【００２４】
また、その他の実施例において、第２領域内の第２符号化情報も誤り訂正機能を有してもよい。言い換えれば、第２情報の伝送を影響しない限り、第１領域Ｒ１が第２領域Ｒ２の上を覆ってもよい。具体的には、第１情報と第２情報の伝送が互いを影響しない限り、第１領域Ｒ１及び第２領域Ｒ２はその他の配列方式で任意の形状の情報伝送領域を構成することも可能であり、本発明は第１領域Ｒ１及び第２領域Ｒ２が構成する情報伝送領域の方式について限定しない。
【００２５】
なお、上記の情報伝送領域は第１領域Ｒ１及び第２領域Ｒ２によって構成されているが、本発明はこれに限定されない。さらに明確に言うと、互いの情報伝送を影響しない場合、情報伝送領域が３つ又はより多くの領域から構成され、各領域がそれぞれ一つの情報に対応する符号化情報を表示してもよい。つまり、同一の情報伝送領域においてより多くの符号化情報を表示し、より多くの情報を伝送することができる。
【００２６】
ただし、注意すべきなのは、一部の実施例において、第１領域Ｒ１中の第１符号化情報、第２領域Ｒ２中の第２符号化情報及び／又はその他の領域中の符号化情報は、例えば位置合わせ記号、校正図形記号とタイミング情報記号などの必要な記号のうち少なくとも一つを含む可能性があり、これらの必要な記号は符号化情報に対し復号化操作を行う時に欠かせないものである。より明確に言うと、以上の実施例において情報伝送領域を構成する際に、上記段落で言及した互いの情報伝送を影響しない条件を満たすためには、各領域間の互いを覆う面積が各領域の誤り訂正レベルを越えないようにするほか、上記の必要な記号を覆ってはいけない。
【００２７】
本実施例において、プロセッサー素子２０３は第１情報及び第２情報に対し符号化操作を行って、符号化情報を生成し、それを情報伝送領域に表示した後、ステップＳ５０３において、プロセッサー素子２０３はさらに情報伝送領域を含む映像画面を表示して、符号化情報を伝送する。本実施例において、プロセッサー素子２０３は、ディスプレイ素子２０１を介して情報伝送領域６００を含む映像画面を表示することにより、符号化情報を伝送する。別の実施例において、電子装置２００はさらにネットワークモジュール（図示せず）を含み、かつネットワークモジュールを介して情報伝送領域６００を含む映像画面をウェブページにアップロードして表示することで、符号化情報を伝送する。言い換えれば、情報伝送領域を含む映像画面は符号化情報を伝送するための媒体であり、本発明の実施例で開示する情報伝送方法は上記映像画面の表示方式と位置に限定されない。
【００２８】
図９は本発明の一実施例の情報読み取り方法のフローチャートである。図１０は本発明の一実施例のデータ処理操作の概略図である。図１１は本発明の別の実施例のデータ処理操作の概略図である。電子装置Ｅ２は情報読み取り方法を用いて、情報伝送領域を含む映像画面中の符号化情報に対し復号化操作を行い、さらに復号化操作後の情報に対しデータ処理操作を行って、符号化情報に対応する復号化情報を取得する。図９を参照。本実施例において、電子装置Ｅ２は電子装置３００の形で実施されている。ステップＳ９０１において、プロセッサー素子３０３はセンサー素子３０１を介して映像画面を取り込む。本実施例において、取り込まれ映像画面は電子装置Ｅ１のディスプレイ素子が表示した、情報伝送領域６００を含む映像画面であってもよい。別の実施例において、取り込まれた映像画面は、ウェブページの一部領域又は新聞雑誌の一部領域からの、情報伝送領域を含む映像画面であってもよいが、本発明はこれらに限定されない。そして、ステップＳ９０３において、プロセッサー素子３０３は情報伝送領域６００中の符号化情報に対し復号化操作を行って、第１情報及び第２情報を取得し、ここで、プロセッサー素子３０３は復号化機能のソフトウエア又はアプリケーションプログラムを有し、先に第１符号化情報と第２符号化情報に対し復号化を行い、対応する第１情報と第２情報を取得する。具体的には、上記の説明からわかるように、情報伝送領域６００は第１領域Ｒ１及び第２領域Ｒ２を含み、かつ第１領域Ｒ１は第１符号化情報を表示し、第２領域Ｒ２は第２符号化情報を表示する。本実施例において、ステップＳ９０３では、図１０が示すように、例えば、プロセッサー素子３０３は先に情報伝送領域６００に対し領域分析操作を行い、第１領域Ｒ１及び第２領域Ｒ２を取得し、その後第１領域Ｒ１中の第１符号化情報に対し復号化操作を行って、第１情報「１１」を取得し、かつ第２領域Ｒ２中の第２符号化情報に対し復号化操作を行って、第２情報「×２２」を取得する。
【００２９】
上記実施例において、取り込んだ映像画面に含まれる情報伝送領域は情報伝送領域６００である。しかし、その他の実施例において、取り込んだ映像画面は情報伝送領域７００、情報伝送領域８００又はその他の方式によって構成された情報伝送領域を含むことも可能であり、プロセッサー素子がその中に表示された符号化情報に対し復号化操作を行う方法ステップは以上に説明したものと類似するため、ここで省略する。
【００３０】
プロセッサー素子３０３は第１情報及び第２情報を取得した後、ステップＳ９０５において、さらに第１情報及び第２情報に対しデータ処理操作を行って、復号化情報を取得する。本実施例において、図１０が示すように、プロセッサー素子３０３は第１情報「１１」及び第２情報「×２２」を取得した後、これらに対しデータ処理操作「１１×２２」を行って、復号化情報「２４２」を得る。ここで注意すべきなのは、図１０で示した演算子
（外１）
2017120614.tif 000003
データ処理操作の方式を示すものである。本実施例において、データ処理操作の方式は第２情報と関連性があり、つまり、第２情報中の一部情報「×」はプロセッサー素子３０３がデータ処理操作
（外２）
2017120614.tif 000004
を行う方式を指示している。別の実施例において、第２情報で指示せず、データ処理操作ソフトウエア又はアプリケーションプログラムをプロセッサー素子３０３中に予めインストールしてもよい。例えば、図１１が示すように、第１情報は文字列「ｈｔｔｐ:／／ａｂｃ.ｘｙｚ」であり、第２情報は文字列「／ｄｅｆ.ｊｐｇ」であり、プロセッサー素子３０３に予め設定されたデータ処理操作
（外３）
2017120614.tif 000005
が単純な文字列結合又は文字列連結であれば、プロセッサー素子はこれに基づき、復号化情報が文字列「ｈｔｔｐ:／／ａｂｃ.ｘｙｚ／ｄｅｆ.ｊｐｇ」であることを得られる。しかし、その他の実施例において、データ処理操作は例えば足し算、引き算又は各種のロジック演算などであることも可能であり、本発明はこれについて限定しない。
【００３１】
なお、以上の実施例において、プロセッサー素子３０３は情報伝送領域６００に対し領域分析操作を行って、第１領域Ｒ１及び第２領域Ｒ２を得る。しかし、その他の実施例において、プロセッサー素子３０３はｎ個の符号化情報を含むｎ個領域によって構成される情報伝送領域に対し領域分析操作を行って、ｎ個の領域を得て、かつ復号化操作を行って、ｎ個の情報を得てもよい。なお、ｎは正整数である。最後に、ｎ個の情報に対しプロセッサー素子に予め設定された、又は情報中に指示されたデータ処理操作を行って、復号化情報を取得する。
【００３２】
図１２は本発明の別の実施例の情報読み取り方法の概略図である。
【００３３】
図１２を参照。本実施例において、情報伝送領域ＩＴＡ中に第１領域Ｒ１及び第２領域Ｒ２が含まれ、第２領域Ｒ２が第１領域Ｒ１の非情報領域上に重なり合い、第１領域Ｒ１中に表示された第１符号化情報が二次元バーコードである。一般的に、情報伝送領域ＩＴＡを含む映像画面を取り込んだ後、現在の二次元バーコードを取り込むアプリケーションプログラム又はソフトウエア復号化によって、アプリケーションプログラムは情報伝送領域ＩＴＡ中に表示された二次元バーコードに対し直接復号化操作を行う。これにより、情報伝送領域ＩＴＡ中の第１領域に対応する第１情報を復号化することができるが、非情報領域中に表示された第２符号化情報をスムーズに復号化することができない。言い換えれば、本実施例において、図１２が示すような情報伝送領域ＩＴＡを含む映像画面を取り込んだ後、本発明の実施例が提供する情報読み取り方法を応用しなかった場合でも、復号化により第１領域Ｒ１に対応する第１情報が得られる。しかし、第１領域Ｒ１に対応する第１情報を得るだけでは、正確な復号化情報を得ることができない。
【００３４】
本実施例において、本発明の実施例が提供する情報読み取り方法によって、符号化情報を表示する情報伝送領域を分析して、第１領域Ｒ１及び第２領域Ｒ２を得て、かつその符号化情報に対しそれぞれ復号化操作を行って、第１情報と第２情報を取得し、最後に第１情報及び第２情報に対しデータ処理操作を行ってこそ、正確な復号化情報が得られる。例を挙げると、情報伝送領域ＩＴＡは図１０が示す情報伝送領域６００であり、第２情報「×２２」が欠けている場合、第１情報「１１」しか得られず、正確な復号化情報「２４２」を得ることができない。別の例を挙げると、情報伝送領域ＩＴＡは例えば図１１が示す情報伝送領域７００であり、第２情報「／ｄｅｆ.ｊｐｇ」が欠けている場合、前半のウェブアドレス文字列「ｈｔｔｐ:／／ａｂｃ.ｘｙｚ」を含む一部の情報しか得られず、正確な復号化情報文字列「ｈｔｔｐ:／／ａｂｃ.ｘｙｚ／ｄｅｆ.ｊｐｇ」を含む完全な情報が得られない。
【００３５】
以上により、本発明の実施例は少なくとも以下の一つの利点又は効果を有する。本発明の実施例において、第１情報と第２情報に対し符号化操作を行って、情報伝送領域中に符号化情報を生成し、情報伝送領域を介して符号化操作後の第１符号化情報と第２符号化情報を伝送する。本発明の実施例において、情報伝送領域中の第１領域及び第２領域はそれぞれ第１情報及び第２情報に対応し、かつ第２領域は第１領域の非情報領域に位置するため、第２情報の隠匿性を高めることができる。本発明の実施例において、情報伝送領域が表示した符号化情報に対し復号化操作を行って、第１情報及び第２情報を取得し、かつ第１情報及び第２情報に対しデータ処理操作を行って、復号化情報を得る。その他、符号化情報に対し復号化操作を行うとともに、第１情報及び第２情報を取得し、その後データ処理操作を行って、正確な復号化情報を得る。これにより、本発明の実施例が提供する電子装置、情報伝送方法と情報読み取り方法を用いて符号化情報を伝送及び読み取り、符号化情報に対応する復号化情報の機密性を高めることができる。
【００３６】
以上に説明したのは本発明の好ましい実施例に過ぎず、本発明の実施の範囲はこれに限定されず、本発明の請求項及び明細書に基づいて行った簡単、等価な変更や修正も全部本発明の請求の範囲に属する。また、本発明の任意の実施例又は請求項は必ずしも本発明が開示する全ての目的又は利点又は特徴を達成する必要がない。また、要約書と発明の名称は特許文献検索に供するものであり、本発明の請求の範囲を限定するものではない。また、本明細書又は請求項に言及される「第１」、「第２」などの用語は素子（ｅｌｅｍｅｎｔ）を命名する名称又は異なる実施例又は範囲を区別するためのものであり、素子の数量の上限又は下限を制限するものではない。
【符号の説明】
【００３７】
２００、３００、４００、Ｅ１、Ｅ２      電子装置
２０１、４０１      ディスプレイ素子
３０１、４０３      センサー素子
２０３、３０３、４０５      プロセッサー素子
６００、７００、８００、ＩＴＡ      情報伝送領域
Ｒ１      第１領域
Ｒ２      第２領域
Ｓ５０１、Ｓ５０３      情報伝送方法のステップ
Ｓ９０１、Ｓ９０３、Ｓ９０５      情報読み取り方法のステップ
【図１】
2017120614.tif 000006
【図２】
2017120614.tif 000007
【図３】
2017120614.tif 000008
【図４】
2017120614.tif 000009
【図５】
2017120614.tif 000010
【図６】
2017120614.tif 000011
【図７】
2017120614.tif 000012
【図８】
2017120614.tif 000013
【図９】
2017120614.tif 000014
【図１０】
2017120614.tif 000015
【図１１】
2017120614.tif 000016
【図１２】
2017120614.tif 000017